(57)【特許請求の範囲】
【請求項１】
搬送される被検査物（Ｗ）の品質状態を表す検出信号を出力する検査部（３）と、前記検出信号に基づいた判定対象値により前記被検査物の品質を検査し、その検査結果に応じて被検査物を所定方向に振分け選別する選別部（５）を備えた物品検査装置（１）において、  
前記検査部から前記選別部へ前記被検査物を搬送する中間搬送部（２３、３０）と、
所定数の前記判定対象値から前記被検査物を検査するための検査基準を設定する検査基準設定部（１４）と、
前記検査基準の設定に用いる基準設定対象の被検査物に係る判定対象値を記憶する記憶部（１３）と、
前記検査基準と前記記憶部に記憶された判定対象値とに基づいて前記基準設定対象の被検査物の品質の良否を判定する良否判定部（１６）と、を備え、
前記選別部が前記良否判定部で判定した前記基準設定対象の被検査物を選別することを特徴とする物品検査装置。
【請求項２】
前記検査基準が設定された後に前記基準設定対象の被検査物が前記選別部に到達するように前記中間搬送部を制御するとともに、前記良否判定部が判定した判定結果に応じた振分け方向に前記基準設定対象の被検査物を前記選別部で選別させる搬送制御部（１５）を備えたことを特徴とする請求項１に記載の物品検査装置。
【請求項３】
前記良否判定部が、前記検査基準が設定されたタイミングで前記検査基準設定対象の被検査物の全ての判定を行ってその判定結果を前記記憶部に記憶し、
前記搬送制御部が、前記記憶部に記憶された判定結果に基づいて前記検査基準設定対象の被検査物を前記選別部で選別させることを特徴とする請求項２に記載の物品検査装置。
【請求項４】
前記中間搬送部が、前記検査部と前記選別部の間に配置された１つのベルトコンベアで構成され、
前記搬送制御部が、少なくとも前記検査基準が設定されるまで、前記被検査物が前記検査部を通過する速度より低速となるように前記ベルトコンベアの速度を制御することを特徴とする請求項１〜３のいずれか１項に記載の物品検査装置。
【請求項５】
前記中間搬送部が、前記検査部と前記選別部の間に配置された１つのベルトコンベアで構成され、
前記搬送制御部が、前記検査基準が設定されるまで、前記基準設定対象の被検査物が前記検査部を通過するタイミングに同期して前記被検査物を間欠搬送することを特徴とする請求項１〜３のいずれか１項に記載の物品検査装置。
【請求項６】
前記搬送制御部が、前記検査基準が設定された後、前記中間搬送部の搬送速度を前記被検査物が前記検査部を通過する速度と同じになるように前記中間搬送部を制御することを特徴とする請求項４または５に記載の物品検査装置。
【請求項７】
前記中間搬送部が、前記検査部と前記選別部の間に配置された１つのベルトコンベアと、少なくとも前記基準設定対象の被検査物が前記ベルトコンベアのベルト上から搬出されて再度ベルト上に搬入する待機部（３１）とを含む構成であることを特徴とする請求項１ないし請求項３のいずれか１項に記載の物品検査装置。
【請求項８】
前記検査基準設定部が、最初の前記基準設定対象の被検査物が前記選別部に到達する直前のタイミングで前記検査基準を設定することを特徴とする請求項１〜７のいずれか１項に記載の物品検査装置。
【請求項９】
前記検査基準設定部が、検査基準を設定する前に取得した前記判定対象値のそれぞれを検査基準を設定するためのデータに含めるか否かを判別する基準データ判別部（１４ａ）を有することを特徴とする請求項１〜８のいずれか１項に記載の物品検査装置。
【請求項１０】
前記基準データ判別部で検査基準を設定するためのデータから外れた判定対象値の被検査物Ｗが前記選別部へ搬送されないように排除する排除部（６）を備えたことを特徴とする請求項９に記載の物品検査装置。
【発明の詳細な説明】
【技術分野】
【０００１】
本発明は、例えば、生肉、魚、加工食品、医薬などの被検査物を搬送しながら被検査物の品質を検査する物品検査装置に関する。
【背景技術】
【０００２】
従来、被検査物の品質を検査する物品検査装置として、重量測定装置、Ｘ線検査装置、金属検出装置などの検査装置が知られている。このような従来の重量測定装置は、搬送される被検査物の質量を測定し、得られた測定値が基準範囲内にあるか否かを判定し、基準範囲内の良品とそれ以外の不良品とを選別している。また、従来のＸ線検査装置は、搬送される被検査物にＸ線を照射し、この照射したＸ線の透過量から被検査物中の異物混入や質量、欠陥などを検査している。また、従来の金属検出装置は、搬送ラインに交番磁界を発生させておき、交番磁界中に被検査物を通過させ、磁界を通過しているときの検波出力から金属が混入しているか否かを検出している。
【０００３】
このような物品検査装置では、検査する品質に応じた良否を判定するための基準値が、検査対象となる被検査物の品種毎に検査基準として設定されている。この基準値は、同じ種類の被検査物を検査するときに常に一定となる場合もあるが、製品ロットによるばらつきや、周囲環境の変化などにより変動する場合もある。そのため、品種変更時やロット変更時などに、運転開始前や運転開始時にサンプルを搬送させて検査結果から基準値を変更することがある。
【０００４】
運転開始時の基準値の設定に関しては、例えば、運転開始の最初に所定のサンプル数だけ仮検査を行い、その解析データから平均値や標準偏差を用いて基準値を自動設定し、さらに、その後も追従制御させるようにしたものが知られている。（特許文献１参照）。
【先行技術文献】
【特許文献】
【０００５】
【特許文献１】特許第３０５４１６５号公報
【発明の開示】
【発明が解決しようとする課題】
【０００６】
しかしながら、従来の物品検査装置は、仮検査に使用した検査品のサンプルは良否の判定が行われないため、これらのサンプルを廃棄したり、作業者がこれらのサンプルを収集し、物品検査装置の上流から収集したサンプルを搬送させて検査品として再検査させていた。そのため、歩留りの低下や作業者の負担増を招いていた。
【０００７】
そこで、本発明は、前述のような従来の問題を解決するためになされたもので、検査基準を設定するためのデータ取得に用いられた検査対象物について、作業者の手を介さずにデータ取得によって設定された検査基準に従った検査を行って判定し、その判定結果に応じて選別することができる物品検査装置を提供することを目的としている。
【０００８】
本発明に係る物品検査装置は、搬送される被検査物の品質状態を表す検出信号を出力する検査部と、前記検出信号に基づいた判定対象値により前記被検査物の品質を検査し、その検査結果に応じて被検査物を所定方向に振分け選別する選別部を備えた物品検査装置において、前記検査部から前記選別部へ前記被検査物を搬送する中間搬送部と、所定数の前記判定対象値から前記被検査物を検査するための検査基準を設定する検査基準設定部と、前記検査基準の設定に用いる基準設定対象の被検査物に係る判定対象値を記憶する記憶部と、前記検査基準と前記記憶部に記憶された判定対象値とに基づいて前記基準設定対象の被検査物の品質の良否を判定する良否判定部と、を備え、前記選別部が前記良否判定部で判定した前記基準設定対象の被検査物を選別することを特徴とする。
【０００９】
この構成により、検査基準の設定に使用する基準設定対象の被検査物を中間搬送部で搬送させ、基準設定対象の被検査物が選別部に到達する前に基準設定対象の被検査物の判定対象値を用いて検査基準を設定するため、基準設定対象の被検査物に対し、再搬送させるなどの作業者の手を介する作業がなく検査を行い、検査基準に従って判定した判定結果に応じて選別をすることができる。これによって、作業者の負担を増やすことなく歩留りの向上を図ることができる。
【００１０】
また、本発明に係る物品検査装置において、前記検査基準が設定された後に前記基準設定対象の被検査物が前記選別部に到達するように前記中間搬送部を制御するとともに、前記良否判定部が判定した判定結果に応じた振分け方向に前記基準設定対象の被検査物を前記選別部で選別させる搬送制御部を備えたことを特徴とする。
【００１１】
この構成により、前記検査基準が設定されるまで前記基準設定対象の被検査物が前記選別部に搬送されないよう中間搬送部を制御するので、基準設定対象の被検査物に対し、検査基準に従って判定し、その判定結果に応じた選別を確実に行うことができる。
【００１２】
また、本発明に係る物品検査装置において、前記良否判定部が、前記検査基準が設定されたタイミングで前記基準設定対象の被検査物の全ての判定を行ってその判定結果を前記記憶部に記憶し、前記搬送制御部が、前記記憶部に記憶された判定結果に基づいて前記基準設定対象の被検査物を前記選別部で選別させることを特徴とする。
【００１３】
この構成により、検査基準の設定に用いた基準設定対象の被検査物の判定を速やかに行うことができる。
【００１４】
また、本発明に係る物品検査装置において、前記中間搬送部が、前記検査部と前記選別部の間に配置された１つのベルトコンベアで構成され、前記搬送制御部が、少なくとも前記検査基準が設定されるまで、前記被検査物が前記検査部を通過する速度より低速となるように前記ベルトコンベアの速度を制御することを特徴とする。
【００１５】
この構成により、例えば、定間隔に連続して搬送される被検査物に対し、中間搬送部の速度を検査部を通過する速度より遅くするという簡単な制御で、検査基準の設定に用いた基準設定対象の被検査物を搬送方向の長さを短縮したベルトコンベアで効率よく選別部へ搬送することができる。
【００１６】
また、本発明に係る物品検査装置において、前記中間搬送部が、前記検査部と前記選別部の間に配置された１つのベルトコンベアで構成され、前記搬送制御部が、前記検査基準が設定されるまで、前記基準設定対象の被検査物が前記検査部を通過するタイミングに同期して前記被検査物を間欠搬送することを特徴とする。
【００１７】
この構成により、検査基準の設定に用いた基準設定対象の被検査物が検査部を通過するタイミングに同期して間欠搬送するので、不定間隔で搬送される被検査物に対しも、被検査物の搬送方向の長さと検査基準の設定するためのデータ数に応じて中間搬送部の搬送方向の長さを最適にすることができる。
【００１８】
また、本発明に係る物品検査装置において、前記搬送制御部が、前記検査基準が設定された後、前記中間搬送部の搬送速度を前記被検査物が前記検査部を通過する速度と同じになるように前記中間搬送部を制御することを特徴とする。
【００１９】
この構成により、検査基準を設定した後は、被検査物が検査部を通過する速度のまま中間搬送部を経由して選別部に到達する通常の検査状態の搬送にすることができる。
【００２０】
また、本発明に係る物品検査装置において、前記中間搬送部が、前記検査部と前記選別部の間に配置された１つのベルトコンベアと、少なくとも前記基準設定対象の被検査物が前記ベルトコンベアのベルト上から搬出されて再度ベルト上に搬入する待機部とを含む構成であることを特徴とする。
【００２１】
この構成により、検査部と選別部との直線距離を短くしつつ、検査基準の設定に用いた基準設定対象の被検査物を判定し、その判定結果に応じた選別を行うことができる。
【００２２】
また、本発明に係る物品検査装置において、前記検査基準設定部が、前記基準設定対象の被検査物が前記選別部に到達する直前のタイミングで前記検査基準を設定することを特徴とする。
【００２３】
この構成により、検査部を通過した最初の基準設定対象の被検査物が選別部に到達する直前のタイミングで、それまで取得した判定対象値が所定数のデータとなって検査基準の設定を行うので、基準設定対象の被検査物に対し、検査基準が設定された後にその検査基準で判定した判定結果に応じた選別を行うことができる。
【００２４】
また、本発明に係る物品検査装置において、前記検査基準設定部が、検査基準を設定する前に取得した前記判定対象値のそれぞれを検査基準を設定するためのデータに含めるか否かを判別する基準データ判別部を有することを特徴とする。
【００２５】
この構成により、検査基準を設定するのに所望の基準値から大きく外れるなどの不適切な値の判定対象値を検査基準を設定するためのデータに含めないようにすることができ、正しく検査基準を設定することができる。
【００２６】
また、本発明に係る物品検査装置において、前記基準データ判別部で検査基準を設定するためのデータから外れた判定対象値の被検査物が前記選別部へ搬送されないように排除する排除部を備えたことを特徴とする。
【００２７】
この構成により、検査基準を設定するためのデータから除外された基準設定対象の被検査物が、中間搬送部に搬送される前、または中間搬送部上から排除されるので、検査基準を設定するためのデータとなった基準設定対象の被検査物だけが中間搬送部上に残って選別部まで搬送されることになり、選別部での選別を効率的に実施することができる。
【発明の効果】
【００２８】
本発明によれば、検査基準を設定するためのデータ取得に用いられた検査対象物について、作業者の負担を増やすことなく検査基準に従った検査を行って判定し、その判定結果に応じて選別することができる。また、これにより、歩留りの向上を図ることができる。
【図面の簡単な説明】
【００２９】
【図１】本発明の実施形態に係る物品検査装置の構成の概略を示す構成図である。
【図２】本発明の実施形態に係る物品検査装置を上方からみた模式図である。
【図３】本発明の実施形態に係る物品検査装置を上方からみた被検査物の搬送動作を示す動作図である。
【図４】本発明の実施形態に係る物品検査装置の検査基準設定の概略の流れを示すフローチャートである。
【図５】本発明の実施形態に係る物品検査装置の検査基準設定の概略の流れを示す他のフローチャートである。
【図６】本発明の実施形態に係る物品検査装置の振分け選別の概略の流れを示すフローチャートである。
【図７】本発明の他の実施形態に係る物品検査装置を上方からみた模式図である。
【発明を実施するための形態】
【００３０】
以下、本発明に係る物品検査装置の実施形態について図面を参照して説明する。
図１ と 図２ は、本発明に係る物品検査装置の実施形態を示す図であり、はかりによる重量検査に適用した例を示している。
【００３１】
図１において、物品検査装置１は、搬送部２と、検査部として被検査物Ｗの品質状態を表す検出信号を出力する測定部３と、搬入センサ４と、制御部１０と、表示操作部７、選別部５とを備えて構成されている。
【００３２】
この物品検査装置１は、上流から所定の間隔で矢印方向に順次搬送されてくる被検査物Ｗの質量を測定し、得られた測定値（以下、計量値という）を設定された計量値の上限および下限の基準値とそれぞれ比較し、得られた計量値が基準値の範囲内にあるか否かを判定し、範囲内のものを良品とし範囲外のものを不良品として選別するようになっている。
【００３３】
搬送部２は、予め表示操作部７で設定される品種の被検査物Ｗを順次搬送するもので、助走コンベア２１、計量コンベア２２、中間搬送部としての中間コンベア２３から構成されている。各コンベアは、２つのローラに巻き付けらた無端状の搬送ベルトで構成され、ローラを駆動することにより被検査物Ｗを搬送するようになっている。
【００３４】
助走コンベア２１は、前段から搬送されてきた被検査物Ｗを、測定するのに最適な速度になるよう加速または減速して計量コンベア２２へと被検査物Ｗを搬送する。
【００３５】
計量コンベア２２は、被検査物Ｗを所定の搬送条件により搬送し、搬送されている間に被検査物Ｗが測定部３により計量されるようになっている。計量後はさらに中間コンベア２３を経由して後段の選別部５に搬送され、測定部３で取得した計量値に基づいて振り分けられるようになっている。
【００３６】
中間コンベア２３は、計量コンベア２２で計量された被検査物Ｗを選別部５まで搬送するものであり、被測定物Ｗを最適なタイミングで選別するように搬送速度が制御されるようになっている。
【００３７】
測定部３は、計量コンベア２２を支持し被検査物Ｗの荷重に基づいて測定信号を出力する荷重センサであり、電磁平衡機構などのはかり機構で構成され、被検査物Ｗが計量コンベア２２で搬送されている間に、測定部３に加わる荷重を測定するようになっている。測定部３は、荷重を測定できるはかり機構であればよく、例えば、差動トランス機構や歪みゲージ機構などのはかり機構で構成してもよい。
【００３８】
搬入センサ４は、助走コンベア２１と計量コンベア２２との間に配置されており、助走コンベア２１から計量コンベア２２へと被検査物Ｗが通過するのを検知する光電センサで構成されている。光電センサは、例えば、投光部からの光をミラーで反射させて受光部で受光する投光部と受光部とが一体型のセンサや、投光部と受光部が分離されれいるセンサを用いることができ、被検査物Ｗが投光部から受光部への光軸を遮ることで、被検査物Ｗの搬入が開始されたことを検出するようになっている。搬入センサ４で検出された搬入開始の信号は、制御部１０に出力されるようになっている。
【００３９】
制御部１０は、物品検査装置１の全体の制御を行うものであり、信号処理部１１、計量部１２、記憶部１３、検査基準設定部１４、搬送制御部１５、良否判定部１６を備えており、記憶部１３に記憶されたプログラムを実行して、物品検査装置１の各種制御等を行うようになっている。
【００４０】
信号処理部１１は、測定部３からの測定信号を受け所定の信号処理条件に基づいて信号処理して信号処理済信号を出力するようになっていて、アナログ信号をディジタル信号に変換するＡ／Ｄ変換器を備えている。具体的には、信号処理部１１は、測定部３からの測定信号に対して、種類や特性の異なる複数のローパスフィルタから選択したフィルタを用いて、測定信号の低周波成分のみを信号処理済信号として通過させるようになっている。なお、信号処理部１１が選択するローパスフィルタは、１つの場合、または、複数を組み合わせたものの場合がある。
【００４１】
計量部１２は、信号処理部１１が出力する信号処理済信号に基づいて被検査物Ｗの計量値を算出（グラム換算）するようになっている。また、計量部１２においては、搬入センサ４によって被検査物Ｗが計量コンベア２２に搬入されたことが検知されてから被検査物Ｗが計量コンベア２２に完全に載り移り、さらに測定部３から出力された測定信号が安定するまでに必要な基準時間Ｔｋが経過した後、被検査物Ｗが計量コンベア２２から排出されるまでの間に計量を行い、測定部３から測定信号が出力された被検査物Ｗに対して、計量値を算出するようになっている。計量部１２により算出された個々の計量値は、記憶部１３に良否判定部１６で判定される判定対象値として記憶されるようになっている。
【００４２】
なお、計量部１２においては、被検査物Ｗの品種（特に、サイズ）に応じて、その測定範囲、測定能力および検査精度などの検査条件を基に計量に関する計量パラメータが選択されるようになっており、被検査物Ｗの品種に応じて、例えば、測定範囲が６ｇ〜６００ｇ、測定能力が最大１５０個／ｍｉｎで選択されるようになっている。
【００４３】
この場合、被検査物Ｗの１個当たりの基準時間Ｔｋは、最小４００ｍｓｅｃに設定されることになり、基準時間Ｔｋは４００ｍｓｅｃ以上であればよいが、被検査物Ｗのサイズ、ラインの処理能力、生産その他の条件により設定されるようになっている。
【００４４】
記憶部１３は、記憶媒体などから構成されており、計量コンベア２２による被検査物Ｗの所定の搬送条件、および計量部１２で使用する計量パラメータを含む条件パラメータを被検査物Ｗの品種に対応させて記憶するようになっている。
【００４５】
記憶部１３には、被検査物Ｗの品種毎に付された各品種番号に対応して、条件パラメータの搬送速度、ＬＰＦ（Ｌｏｗ  Ｐａｓｓ  Ｆｉｌｔｅｒ）特性が記憶されている。また、記憶部１３には、検査パラメータとして、被検査物Ｗの標準的な値の仮標準値と仮標準値を基準にした被検査物Ｗの良否を判定するための良品範囲としての上限および下限の仮基準値が記憶される。
【００４６】
ここで、搬送速度は、被検査物Ｗを搬送する搬送部２を構成する各コンベアの速度であり、ＬＰＦ特性は、どのような特性のローパスフィルタであるかを示すものであり、良品範囲とは、仮標準値を基にして良品と判定される被検査物Ｗの計量値の許容範囲である。
【００４７】
また、記憶部１３は、良否判定部１６で判定される判定対象値である計量値をＦＩＦＯの構造で記憶するようになっている。ＦＩＦＯへの書き込みは、計量部１２で計量値が算出されたタイミングで行われ、算出された計量値に対応する被検査物Ｗが搬入センサ４を検知した時刻とともに計量値を書き込み、入力ポインタが更新される。そして、良否判定部１６による判定タイミングで対応する入力ポインタに判定結果が書き込まれる。一方、ＦＩＦＯからの判定結果の読み出しは、選別部５における選別タイミングで行われ、出力ポインタが更新される。これにより、検査基準となる許容範囲の設定に用いる被検査物Ｗの計量値をバッファリングし、検査基準設定部１４で許容範囲が設定された後、基準設定対象となった検査基準設定用の被検査物Ｗの良否判定を順次行い、選別部５で振り分け選別する被検査物Ｗと判定結果を対応付けることができる。
【００４８】
検査基準設定部１４は、運転開始または運転中の品種変更（品種番号切替え）から所定個数の被検査物Ｗを基に検査基準となる許容範囲を設定する状態（以下、検査基準設定モードという）において、許容範囲を設定するまでに搬入センサ４で検出した被検査物Ｗを検査基準設定用の被検査物Ｗとし、この検査基準設定用の被検査物Ｗの計量値から許容範囲である許容範囲としての上限および下限の基準値を設定するようになっている。
【００４９】
具体的には、例えば、対象となる検査基準設定用の被検査物Ｗの計量値の平均値を仮標準値に合わせ、仮の検査基準である上限および下限の仮基準値から良品範囲をシフトさせて検査基準の上限及び下限を設定する。すなわち、仮標準値を基点として仮下限値と仮標準値との差分と仮上限値と仮標準値の差分を当該計量値の平均値に対してそれぞれの方向へ加えたものが許容範囲の下限値と上限値になる。また、例えば、平均値±３σを許容範囲とするようにしてもよい。
【００５０】
また、検査基準設定部１４は、基準データ判別部としての判別部１４ａを有するのが好ましい。この場合、判別部１４ａは、記憶部１３に記憶されている仮の検査基準を基に、仮の検査基準から大きく外れている（所定の値以上外れている）計量値を平均値や標準偏差を求めて許容範囲を設定するためのデータに含めないように判別する。
【００５１】
また、検査基準を設定するためのデータから外れた検査基準設定用の被検査物Ｗを中間コンベア２３に載り移つらないように、中間コンベア２３への載り継ぎ位置付近で搬送部２の搬送方向外へ排除する排除部６を設けるのが好ましい。なお、排除部６は一方向への排除ができればよく、エアーや押出し等の簡単な方式で構成することができる。
【００５２】
搬送制御部１５は、被検査物Ｗの品種に応じて記憶部１３から所定の搬送条件および所定の信号処理条件を読み出して助走コンベア２１と計量コンベア２２ついて、図示しないモータの回転速度（ｒｐｍ）を駆動制御して、被検査物Ｗの搬送速度をそれぞれ制御するようになっている。
【００５３】
また、搬送制御部１５は、記憶部１３に記憶している複数の品種に対応する検査パラメータを切り換えて良否判定部１６を制御し、検査基準設定モードにおいて検査基準設定部１４が基準値を設定するまで、検査基準設定用の被検査物Ｗを選別待機状態とするべく、検査基準設定用の被検査物Ｗの選別までの時間をが遅延させるように中間コンベア２３の搬送を制御するようになっている。
【００５４】
搬送制御部１５は、検査基準設定モードになって最初の検査基準設定用の被検査物Ｗが検出されるタイミングで、計量コンベア２２の搬送速度よりも低速になるように中間コンベア２３を制御し、検査基準設定部１４で許容範囲が設定された後に、計量コンベア２２の搬送速度になるまでゆっくり加速させる、または、段階的に徐々に搬送速度を上昇させるように制御する。
【００５５】
図２に示すような被検査物Ｗが定間隔で搬送される場合には、搬送間隔Ｌ１に対する被検査物Ｗの搬送方向の長さＬｗの割合と計量コンベア２２の搬送速度に対する中間コンベア２３の搬送速度の割合を同じにすると、中間コンベア２３上での検査基準設定用の被検査物Ｗの間隔が最小となり、中間コンベア２３の長さＬ２を最短とすることができる。例えば、搬送方向の長さＬｗが２５ｃｍの被検査物Ｗが計量コンベア２２上を毎分３０個の検査能力で５０ｃｍ／ｓｅｃの搬送速度で搬送されるとすると、搬送間隔Ｌ１は１００ｃｍとなる。中間コンベア２３の搬送速度を計量コンベア２２の１／４にすることで、検査能力に対して搬送方向の長さＬｗ分だけ移動し検査基準設定用の被検査物Ｗ間の間隔がゼロとなる。計量コンベア２２から中間コンベア２３に順次搬入し、検査基準設定のために中間コンベア２３上で選別待機する個数を１０個とした場合には中間コンベア２３を最短で２．５ｍの長さにすることができる。
【００５６】
なお、中間コンベア２３の搬送制御は、検査基準設定モードにおける中間コンベア２３の低速制御の代わりに、間欠搬送とすることもできる。例えば、計量コンベア２２から検査基準設定用の被検査物Ｗが搬出されるタイミングで被検査物Ｗの搬送方向の長さＬｗ分だけ搬送するように制御して、検査基準設定部１４で許容範囲が設定されるまで間欠搬送させる。また、ここでは、被検査物W間の間隔が最少となるゼロとして説明したが、検査能力、搬送速度、中間コンベア２３の長さから図２に示すように適度に間隔を空けて搬送するなど、適宜行うようにしても良い
【００５７】
また、搬送制御部１５は、搬入センサ４による被検査物Ｗの計量コンベア２２への搬入検知を基点とし、計量コンベア２２の長さと搬送速度、中間コンベア２３の長さと搬送制御に基づいて、中間コンベア２３上の被検査物Ｗの選別タイミングを把握し、判定結果を選別部５に出力するようになっている。
【００５８】
検査基準設定用の被検査物Ｗの選別タイミングは、まず、許容範囲を設定するタイミング（以下、検査基準設定タイミングＴｓという）における各検査基準設定用の被検査物Ｗの位置が、搬入センサ４による各検査基準設定用の被検査物Ｗの計量コンベア２２への搬入検知を基点とし、計量コンベア２２の長さと搬送速度、選別待機のための中間コンベア２３の搬送制御に基づいて決定される。そして、検査基準設定タイミングＴｓにおける各検査基準設定用の被検査物Ｗの位置から選別位置までの移動時間が、搬送制御部１５による中間コンベア２３の搬送速度制御によって決定される。したがって、各検査基準設定用の被検査物Ｗの選別タイミングは、検査基準設定タイミングＴｓを基点として制御する中間コンベア２３の搬送速度制御によって求められる。
【００５９】
搬送速度制御は、検査基準設定用の被検査物Ｗのすべてが中間コンベア２３から搬出された後、中間コンベア２３の搬送速度が計量コンベア２２の搬送速度と同じになるように搬送速度を制御する。具体的には、例えば、被検査物Ｗが中間コンベア２３の長さＬ２で検査基準設定タイミングＴｓの搬送速度から計量コンベア２２の搬送速度となるように等加速度で加速させる。または、検査基準設定タイミングＴｓにおける中間コンベア２３と計量コンベア２２の速度差を検査基準設定用の被検査物Ｗの数で分け、検査基準設定用の被検査物Ｗの選別タイミングで段階的に速度を上昇させるように制御する。
【００６０】
また、中間コンベア２３の直後に選別部５の選別機構がある場合には、選別機構による選別動作に影響を与えない後続の被検査物Ｗとの間隔が中間コンベア２３の後端で必要となるため、例えば、検査基準設定用の被検査物Ｗの判定結果が全て良品のときには上述したように加速し、良品と不良品が混在する場合は、計量コンベア２２の後端で選別機構による選別動作に影響を与えないような後続の被検査物Ｗとの間隔を確保できるように、検査基準設定用の被検査物Ｗを含む被検査物Ｗの判定結果に応じて中間コンベア２３の搬送速度の制御を行うのが好ましい。
【００６１】
良否判定部１６は、判定回路などから構成されており、記憶部１３に記憶されている計量値と検査基準設定部１４で設定した検査基準との比較に基づき良否を判定して判定結果を記憶部１３に記憶されるようになっている。
【００６２】
具体的には、良否判定部１６は、記憶部１３に記憶された計量値を読み出し、検査基準設定部１４で設定した許容範囲の上限値および下限値とそれぞれ比較し、許容範囲内にあるか否かを判定するようになっている。また、検査基準設定用の被検査物Ｗの判定は、検査基準設定タイミングＴｓで検査基準設定用の被検査物Ｗ全ての判定を行い、これ以降に測定される被検査物Ｗは、計量値を記憶部１３に記憶するときに判定を行い、判定した判定結果が記憶部１３に記憶される。
【００６３】
良否判定部１６において判定された判定結果は、表示操作部７に出力され、良品または不良品として表示されるようになっている。また、判定結果は搬送制御部１５を介して選別部５に出力され、被検査物Ｗが良品または不良品として振分け選別されるようになっている。なお、検査基準設定用の被検査物Ｗを含む被検査物Ｗの判定を、被検査物Ｗが選別されるタイミングで行って判定結果を選別部５に出力するようにしてもよい。
【００６４】
表示操作部７は、入力操作機能および表示機能を兼用するタッチパネルから構成されており、入力操作としては、搬送部２によって搬送させる被検査物Ｗの品種の設定操作や、被検査物Ｗの計量に関する各種設定操作や指示操作を行うようになっている。
【００６５】
また、表示操作部７は、表示動作としては、被検査物Ｗの品種の設定操作が行われるときの設定値、指示操作が行われるときの指示値、各種判定結果等、種々の表示を行うようになっている。
【００６６】
なお、表示操作部７は、入力操作機能と表示機能とが独立した構成としてもよく、この
場合、入力操作機能のために、設定や指示のために入力操作する複数のキーやスイッチ等
を設けるとともに、表示機能のために、液晶表示器等を設けた構成とすることができる。
【００６７】
選別部５は、図２に示すように、中間コンベア２３の後段に接続されており、良否判定部１６の判定結果を搬送制御部１５から受けて被検査物Ｗをアームを用いて振り分けるようになっている。判定結果が良品の場合は、中間コンベア２３の搬送方向と同一方向の下流へ選別用コンベア５１により搬送し、判定結果が不良品の場合は、中間コンベア２３の搬送方向と異なる方向へと振り分けるようになっている。過量不良の場合は＋ＮＧ方向へと振り分け、軽量不良の場合は−ＮＧ方向へと振り分ける。なお、選別部５の選別機構は、良品と不良品を振分けるものであればよく、押出し方式やドロップ方式等の機構で構成することができる。また、選別機構による振り分けは、中間コンベア２３から選別用コンベア５１に被検査物Ｗが完全に載り移った後に行われのが好ましく、判定結果を、被検査物Ｗが選別用コンベア５１に完全に載り移るタイミングで受けるのが好ましい。
【００６８】
次に、本実施形態の物品検査装置１において、検査基準設定モードの検査基準設定用の被検査物Ｗの動作について説明する。図３は、検査基準を設定するための所定数の被検査物Ｗが検査基準設定用の被検査物Ｗとして中間コンベア２３の上に搬送され、検査基準設定後に検査基準設定用の被検査物Ｗが順次選別される動作について示すものである。四角内の番号は、検査基準設定モードになってから順次計量された被検査物Ｗの番号を示し、検査基準設定用の被検査物Ｗを四角内の番号で１〜１０としている。
【００６９】
図３（ａ）は、検査基準設定モードに入ってから最初の検査基準設定用の被検査物Ｗの計量値を取得し、その検査基準設定用の被検査物Ｗが中間コンベア２３へ搬送された状態を示し、図３（ｂ）は、２つ目の検査基準設定用の被検査物Ｗが中間コンベア２３へ搬送された状態をを示している。そして、順次検査基準設定用の被検査物Ｗが計量されて、検査基準設定タイミングＴｓまで中間コンベア２３で選別待機状態となる。図３（ｃ）は、所定数１０個の検査基準設定用の被検査物Ｗの計量が完了して許容範囲を設定し、これから中間コンベア２３上で選別待機状態にある検査基準設定用の被検査物Ｗに対し選別を開始する状態を示している。
【００７０】
図３（ｄ）は、選別待機状態から中間コンベア２３が搬送速度を上げて、検査基準設定用の被検査物Ｗとなった１番目の被検査物Ｗの選別を開始する状態を示している。このとき、計量コンベア２３からは検査基準を決定するための所定数外で検査基準設定用の被検査物Ｗとならない１１番目の被検査物が中間コンベア２３に載り移り、さらに、図３（ｅ）で示すように、検査基準設定用の被検査物Ｗとなった２番目の被検査物Ｗの選別が開始され、順次検査基準設定用の被検査物Ｗが選別される。
【００７１】
そして、図３（ｆ）〜図３（ｈ）に示すように、中間コンベア２３の搬送速度が上昇するにつれて被検査品Ｗの間隔が広がり、図３（ｇ）に示すように、検査基準設定用の被検査物Ｗのすべてが中間コンベア２３から搬出され、計量コンベア２２の搬送速度と中間コンベア２３の搬送速度が同じになると、これ以降に中間コンベア２３に搬入される被検査品Ｗの間隔は、図３（ｈ）に示すように、被検査品Ｗの計量コンベア２２への搬入間隔と同じになり、検査基準設定モードに伴う中間コンベア２３の搬送制御を終了し、中間コンベア２３の搬送制御が計量コンベア２２の搬送制御と同様の制御に移行する。
【００７２】
次に、本実施形態の物品検査装置１において、検査基準設定モードの検査基準設定用の被検査物Ｗから検査基準となる許容範囲を設定する動作について説明する。なお、ここでは、検査基準設定用の被検査物Ｗの排除チェックが無いものとして説明する。図４は、被検査物Ｗが所定間隔で搬送され、中間コンベア２３を低速に搬送制御する場合を想定した検査基準設定の概略の流を示すフローチャートである。また、図５は、中間コンベア２３が間欠搬送する場合を想定した検査基準設定の概略の流れを示す他のフローチャートである。
【００７３】
図４に示すように、検査基準設定モードに入ると、中間コンベア２３が品種に従った計量コンベア２２の搬送速度よりも低い速度で搬送が行なわれ（ステップＳ１）、助走コンベア２１と計量コンベア２２が品種に従った設定速度で搬送が行われる（ステップＳ２）。
【００７４】
次いで、搬入センサ４で被検査物Ｗが検知されたかどうかを判断し（ステップＳ３）、検知されなければ（ステップＳ３でＮＯの場合）、検査基準設定モードに入って最初に計量値を測定した検査基準設定用の被検査物Ｗが中間コンベア２３から搬出されて選別を行う必要がある選別タイミングかどうかを判断し（ステップＳ４）、選別を行う必要がある選別タイミングならば、これまでに取得した計量値をもって許容範囲を設定するための所定のデータ数に達したとしてステップ８に進み、選別タイミングでないならば（ステップＳ４でＮＯの場合）、被検査物Ｗが検知されるまで、この判断処理が短周期で繰り返される。
【００７５】
そして、被検査物Ｗが検知されたら、計量部１２から計量値を取得して記憶部１３に記憶し（ステップＳ５）、ＦＩＦＯの入力ポインタを更新する（ステップＳ６）。
【００７６】
次いで、予め設定されている所望のデータ数に達したか否かを判断し（ステップＳ７）、所望のデータ数に達していなければ（ステップＳ７でＮＯの場合）、ステップ３に戻り、所望のデータ数に達したら、許容範囲を設定し、設定に用いた全ての検査基準設定用の被検査物Ｗについて、計量値が設定した許容範囲内にあるか否かの良否判定を行って判定結果を記憶部１３に記憶する（ステップＳ８）。
【００７７】
次いで、中間コンベア２３の速度を上昇させて（ステップＳ９）終了する。
【００７８】
なお、予め設定される所望のデータ数分の検査基準設定用の被検査物Ｗを中間コンベア２３が十分バッファリングできる長さであれば、所望のデータ数を所定数とすることができ、選別タイミングかどうかの判断（ステップＳ４）を省略することができる。また、検査基準設定用の被検査物Ｗが中間コンベア２３から搬出されて選別を行う必要がある選別タイミングとなるまでに取得できる最大の数を所定数として許容範囲を設定する場合は、所望のデータ数の判断（ステップＳ７）を省略するようにしてもよい。
【００７９】
また、他の例としては、図５に示すように、検査基準設定モードに入ると、助走コンベア２１と計量コンベア２２が品種に従った設定速度で搬送が行われる（ステップＳ２１）。
【００８０】
次いで、搬入センサ４で被検査物Ｗが検知されたかどうかを判断し（ステップＳ２２）、検知されなければ（ステップＳ２２でＮＯの場合）、被検査物Ｗが検知されるまで、この判断処理が短周期で繰り返される。そして、被検査物Ｗが検知されたら計量部１２から計量値を取得して記憶部１３に記憶し（ステップＳ２３）、ＦＩＦＯの入力ポインタを更新（ステップＳ２４）し、さらに、中間コンベア２３を被検査物Ｗの搬送方向の長さ分だけ移動して停止する間欠搬送を行う（ステップＳ２５）。
【００８１】
次いで、予め設定されている所望のデータ数に達したか否かを判断し（ステップＳ２６）、所望のデータ数に達していなければ（ステップＳ２６でＮＯの場合）、ステップ２２に戻り、所望のデータ数に達したら、許容範囲を設定し、設定に用いた全ての検査基準設定用の被検査物Ｗについて、計量値が設定した許容範囲内にあるか否かの良否判定を行って判定結果を記憶部１３に記憶する（ステップＳ２７）。
【００８２】
次いで、中間コンベア２３の速度を上昇させて（ステップＳ２８）終了する。
【００８３】
次に、本実施形態の物品検査装置１の検査基準設定モードに用いた検査基準設定用の被検査物Ｗが選別される動作について説明する。図６は、検査基準が設定された後、振分け選別の概略の流れを示すフローチャートである。
【００８４】
各検査基準設定用の被検査物Ｗの選別タイミングは、検査基準設定タイミングＴｓの時刻と検査基準設定タイミングＴｓにおける各検査基準設定用の被検査物Ｗの位置から選別位置までの移動時間が中間コンベア２３の搬送速度制御によって求まる。そして、図６に示すように、まず、選別タイミングかどうかを判断し（ステップＳ３１）、選別タイミングでないならば（ステップＳ３１でＮＯの場合）、ステップＳ３６に進む。
【００８５】
そして、選別タイミングならば、搬送制御部１５は選別の対象となる検査結果を記憶部１３から読み出し、判定結果を選別部５に出力して、検査基準設定用の被検査物Ｗが良品または不良品として振分け選別され（ステップＳ３２）、記憶部１３のＦＩＦＯの出力ポインタを更新する（ステップＳ３３）。
【００８６】
次いで  搬送制御部１５は、中間コンベア２３の搬送速度の上昇が必要であるかどうかを判断し（ステップＳ３４）、必要ではなく計量コンベア２２の搬送速度に達していれば（ステップＳ３４でＮＯの場合）、ステップＳ３６に進み、計量コンベア２２の搬送速度に達しいなくて計量コンベア２２の搬送速度の上昇が必要ならば、計量コンベア２２の搬送速度に徐々に近づくように中間コンベア２３の搬送速度を上昇させる（ステップＳ３５）。
【００８７】
次いで、運転停止かどうかの判断（ステップＳ３６）を行い、運転停止ならば処理を終了し、運転停止でなければ、ステップＳ３１に戻り、運転停止になるまで繰り返される。
【００８８】
なお、ステップＳ３４、ステップＳ３５は、搬送速度制御を選別タイミングに応じて段階的に速度を上昇させる場合に必要であり、検査基準を設定したときに所定時間で計量コンベア２２の速度に達するように加速度を設定する場合は、選別タイミングによらない搬送制御部１５の搬送速度制御となるので省略することができる。
【００８９】
以上、上述の実施形態では、中間搬送部について、１つのコンベアからなる中間コンベア２３上で待機させて検査基準設定用の被検査物Ｗの選別を遅延させる構成を例にして説明したが、図７に示すように、短いベルトコンベアとベルトコンベアから外れた位置に待機させて検査基準設定用の被検査物Ｗの選別を遅延させる構成としてもよい。図７の中間搬送部３０は、計量コンベア２２と選別部５の間に配置されるベルトコンベア３２と、ベルトコンベア３２の搬送方向から外れた位置に配置されるターンテーブル３１と、ベルトコンベア３２からターンテーブル３１へ搬出させる搬出ゲート３３と、ターンテーブル３１からベルトコンベア３２に搬入させて被検査物Ｗをベルトコンベア３２に戻す搬入ゲート３４とから構成される。
【００９０】
この構成では、検査基準設定モードに入ると、ターンテーブル３１は低速回転または間欠動作し、搬出ゲート３３が被検査物Ｗをターンテーブル３１へ導くように作動する。そして、少し遅れてベルトコンベア３２上の被検査物Ｗがなくなるタイミングでターンテーブルから被検査物Ｗを導くように搬入ゲート３４が作動する。ここで、搬入ゲート３４は、ベルトコンベア３２から選別部５への搬入を遮ぎることになる。したがって、検査基準を設定するためのデータから外れた検査基準設定用の被検査物Ｗの排除は、搬出ゲート３３を元に戻してベルトコンベア３２上に排除すべき検査基準設定用の被検査物Ｗを搬送させることで搬入ゲート３４によって排除することができる。また、検査基準が設定された後は、ターンテーブル３１上の被検査物Ｗを無くすように回転を速くし、ターンテーブル３１上に被検査物Ｗが無くなると、搬出ゲート３３及び搬入ゲート３３が元に戻り、被検査物Ｗがベルトコンベア３２をそのまま搬送して選別部５に到達する。
【００９１】
なお、計量コンベア２２と選別部５を結ぶ直線上から外れた位置で検査基準設定用の被検査物Ｗを待機させる方式としては、図７に示すターンテーブル式のほかに、スターホール式の移動装置で待機させるようにしてもよい。
【００９２】
以上、検査部が被検査物Ｗの荷重を計測する方式の質量検査を例に説明したが、本発明は、他の方式で検査する他の物品検査装置として、例えば、被検査物ＷにＸ線を照射してその透過量から被検査物Ｗの質量、欠陥、異物の有無等を検査するＸ線検査装置、磁界の変化や被検査物Ｗの残留磁気を磁気センサで検出して金属異物を検出する金属検出装置にも同様に適用できる。この場合、例えば、Ｘ線検査装置の検査基準は、Ｘ線が被検査物Ｗを透過して得られるＸ線透過画像における濃淡値であり、金属検出装置の検査基準は、磁気センサで検出した検出信号に対する金属の有無の判定基準となる信号レベルである。
【００９３】
また、間隔を開けて搬送される被検査物Ｗを測定する例に説明したが、食品生地やミンチ肉などの帯状のような連続体で搬送した被検査物Ｗを装置内部で作られる所定周期のタイミングで検査するＸ線検査装置や金属検出装置においても、内部タイミングで得られる所定数のデータから検査基準を求めるようにすれば同様に適用でき、さらに、搬送路に物品検査装置の検査部と選別部を離間して配置し、検査部から選別部の間を複数の被検査物Ｗが一定速度で搬送される構成においても同様に適用できる。
【００９４】
以上説明したように、本発明の実施形態に係る物品検査装置１は、測定部３から選別部５へ被検査物Ｗを搬送する中間コンベア２３と、所定数の計量値から被検査物Ｗを検査するための検査基準となる計量値の許容範囲を設定する検査基準設定部１４と、許容範囲の設定に用いる基準設定対象の被検査物Ｗの計量値を記憶する記憶部１３と、許容範囲と記憶部１３に記憶された計量値とに基づいて基準設定対象の被検査物Ｗの良否を判定する良否判定部１６と、を備え、選別部５が良否判定部１６で判定した基準設定対象の被検査物Ｗを選別することを特徴とする。
【００９５】
この構成により、許容範囲を設定するためのデータ取得に用いられた被検査物Ｗについて、作業者の負担を増やすことなく許容範囲に従った検査を行って判定し、その判定結果に応じて選別することができる。また、これによって、作業者の負担を増やすことなく歩留りの向上を図ることができる。
【００９６】
また、本発明の実施形態に係る物品検査装置１は、許容範囲が設定されるまで基準設定対象の被検査物Ｗが選別部５に搬送されないように中間コンベア２３を制御するともに、良否判定部１６が判定した判定結果に応じた振分け方向に基準設定対象の被検査物Ｗを選別部５で選別させる搬送制御部１５を備えたことを特徴とする。
【００９７】
この構成により、許容範囲が設定されるまで基準設定対象の被検査物Ｗが選別部５に搬送されないよう中間コンベア２３を制御するので、基準設定対象の被検査物Ｗに対し、許容範囲に従って判定し、その判定結果に応じた選別を確実に行うことができる。
【００９８】
また、本発明の実施形態に係る物品検査装置１は、検査基準設定部１４が、許容範囲を設定する前に取得した判定対象値のそれぞれを許容範囲を設定するためのデータに含めるか否かを判別する基準データ判別部１４ａを有することを特徴とする。
【００９９】
この構成により、許容範囲を設定するのに不適切な値の計量値を許容範囲を設定するためのデータに含めないようにすることができ、正しく許容範囲を設定することができる。また、データに含めない不適切な値の被検査物Ｗを排除する排除部６を備えることにより、許容範囲を設定するためのデータとなった基準設定対象の被検査物Ｗだけを選別部５まで搬送し、選別部５での選別を効率的に実施することができる。  
【産業上の利用可能性】
【０１００】
以上のように、本発明に係る物品検査装置は、検査基準を設定するためのデータ取得に用いられた検査対象物について、作業者の負担を増やすことなく検査基準に従った検査を行って判定し、その判定結果に応じて選別することができるという効果を有し、被検査物を搬送しながら被検査物をの品質の検査を行う物品検査装置に有用である。
【符号の説明】
【０１０１】
１  物品検査装置
３  測定部（検査部）
５  選別部
６  排除部
７  表示操作部
１３  記憶部
１４  検査基準設定部
１４ａ  判別部（基準データ判別部）
１５  搬送制御部
１６  良否判定部
２３  中間コンベア（中間搬送部）
３０  中間搬送部
３１  ターンテーブル（待機部）
Ｗ  被検査物
【図１】
0006506720.tif 000002
【図２】
0006506720.tif 000003
【図３】
0006506720.tif 000004
【図４】
0006506720.tif 000005
【図５】
0006506720.tif 000006
【図６】
0006506720.tif 000007
【図７】
0006506720.tif 000008